(57)【特許請求の範囲】
【請求項１】
光テープファイバの各心線をそれぞれ単心光ファイバ心線に分岐するための光テープファイバ心線分岐部において、
光テープファイバからそれぞれ分離させた単心光ファイバ心線を、ねじり力を与えずに整列させるために、
平板状のガイド板と、上記ガイド板の一端に設けられ、分離した各単心光ファイバ心線をそれぞれ保護する補強コードが分岐側から挿通される第１の通路を備えたコード固定部と、上記ガイド板の中央部付近に設けられ、補強コード内のチューブが前記ガイド板により分岐側から二分されて挿通される第２の通路とを備えた心線整列部とからなるガイド部材を備え、
上記チューブ内に分離した各単心光ファイバ心線を上記ガイド板によりテープ側から二分して挿入して上記ガイド部材に保持させて分岐することを特徴とする光テープファイバ心線分岐部。
【請求項２】
分離した単心光ファイバ心線を保持したガイド部材の外周部を２分割ケースで覆ってガイド部材を固定した請求項１記載の光テープファイバ心線分岐部。
【発明の詳細な説明】
【０００１】
【発明の属する技術分野】
本発明は、光テープファイバの各心線をそれぞれ単心光ファイバ心線に分岐するための光テープファイバ心線分岐部に係り、特に、分離した単心光ファイバ心線をねじることなく整列させて分岐し、しかも組立性の向上を図った光テープファイバ心線分岐部に関するものである。
【０００２】
【従来の技術】
光テープファイバは、複数本の単心光ファイバ心線を横一列に並べてテープ状にし、その外周を高抗張力繊維を介して外部シースで被覆したものである。光テープファイバとしては、例えば、図１０に示すような４心テープファイバコード１００がある。
【０００３】
４心テープファイバコード１００は、４本の光ファイバ１０１の外周を第１のジャケット１０２でそれぞれ覆い、各第１のジャケット１０２の外周を着色した第２のジャケット１０３ａ〜ｄでそれぞれ被覆してなる４本の単心光ファイバ心線１０４ａ〜ｄを横一列に並べ、これら単心光ファイバ心線１０４ａ〜ｄの外周にテープ１０５を巻き付け、テープ１０５の外周をケブラ１０６を介してＰＶＣ（ポリ塩化ビニル）シース１０７で被覆したものである。第２のジャケット１０３ａ〜ｄは、各単心光ファイバ心線１０４ａ〜ｄが識別できるように青色、白色、茶色、灰色でそれぞれ着色されている。
【０００４】
通常、光テープファイバは、４心テープファイバコード１００のようなコード状態で布設されるが、機器との接続に先立ち、光テープファイバ心線分岐部で単心分離することがある。分岐部は、４心テープファイバコード１００から分離した各単心光ファイバ心線１０４ａ〜ｄを、例えば、図１１に示すような分岐側ＰＶＣ補強コード１１０で保護して分岐するものである。
【０００５】
補強コード１１０は、単心光ファイバ心線が挿入されるナイロンチューブ１１１を中心に配置し、チューブ１１１の外周をケブラ１１２を介してＰＶＣシース１１３で被覆したものである。補強コード１１０の外径φｒは、約２．０±０．２ｍｍである。
【０００６】
従来の光テープファイバ心線分岐部８０の組立手順を図８で説明する。まず、４心テープファイバコード１００の被覆を一部除去し、各単心光ファイバ心線１０４ａ〜ｄを剥き出しにする。補強コード１１０ａ〜ｄの被覆も一部除去し、各チューブ１１１ａ〜ｄを剥き出しにする。各チューブ１１１ａ〜ｄに、各単心光ファイバ心線１０４ａ〜ｄを１本ずつ計４本挿入する。各チューブ１１１ａ〜ｄは、整列板８１上で取りまとめられ、束ね手段８２により全体を丸く束ねて固定される。テープ側のコード１００から分岐側の補強コード１１０に亘って熱収縮スリーブ８３で覆う。熱収縮スリーブ８３で覆った部分を外筒８４内に収容し、外筒８４の一端にフタ８５ａを接着剤で取り付ける。単心光ファイバ心線１０４ａ〜ｄの保護および固定のために、外筒８４内を樹脂で覆う。外筒８４の他端にフタ８５ｂを接着剤で取り付けると、図９に示すような分岐部８０が組み立てられる。分岐部８０の軸方向の幅ｌは、約４５〜５５ｍｍであり、外径φｐは約８ｍｍである。
【０００７】
【発明が解決しようとする課題】
しかしながら、従来の光テープファイバ心線分岐部８０は、チューブ１１１ａ〜ｄを整列板８１に固定するときに、チューブ１１１ａ〜ｄの曲げ癖により取りまとめするのが難しく、その際、各チューブ１１１ａ〜ｄ内に挿入された単心光ファイバ心線１０４ａ〜ｄにねじり力を与えてしまうという問題がある。
【０００８】
樹脂をかぶせるときに接着剤を用いて固定するために、作業時間を要する。テープ側のコード１００と分岐側の補強コード１１０を別々に固定するために、手間が２重に必要である。よって、従来の光テープファイバ心線分岐部８０は、部品数が多いことも手伝って組立性が低下し、高価になるという問題もある。
【０００９】
そこで、本発明の目的は、分離した単心光ファイバ心線をねじることなく整列させて分岐することができ、しかも組立性を向上させ安価な光テープファイバ心線分岐部を提供することにある。
【００１０】
【課題を解決するための手段】
本発明は、上記目的を達成するために創案されたものであり、請求項１の発明は、光テープファイバの各心線をそれぞれ単心光ファイバ心線に分岐するための光テープファイバ心線分岐部において、光テープファイバからそれぞれ分離させた単心光ファイバ心線を、ねじり力を与えずに整列させるために、平板状のガイド板と、上記ガイド板の一端に設けられ、分離した各単心光ファイバ心線をそれぞれ保護する補強コードが分岐側から挿通される第１の通路を備えたコード固定部と、上記ガイド板の中央部付近に設けられ、補強コード内のチューブが前記ガイド板により分岐側から上下に二分されて挿通される第２の通路とを備えた心線整列部とからなるガイド部材を備え、上記チューブ内に分離した各単心光ファイバ心線を上記ガイド板によりテープ側から上下に二分して挿入して上記ガイド部材に保持させて分岐する光テープファイバ心線分岐部である。
【００１２】
請求項２の発明は、分離した単心光ファイバ心線を保持したガイド部材の外周部を２分割ケースで覆ってガイド部材を固定した請求項１記載の光テープファイバ心線分岐部である。
【００１３】
【発明の実施の形態】
以下に、本発明の好適実施の形態を添付図面にしたがって説明する。
【００１４】
図１は、本発明の好適実施の形態である光テープファイバ心線分岐部を示す組立分解図である。
【００１５】
図１に示すように、本発明の光テープファイバ心線分岐部１は、機器との接続に先立ち、光テープファイバとしての４心テープファイバコード１００の各心線を、４本の単心光ファイバ心線１０４ａ〜ｄに分岐するためのものであり、４心テープファイバコード１００から分離させた４本の単心光ファイバ心線１０４ａ〜ｄを、ねじり力を与えずに整列させるガイド部材２にそれぞれ保持させて分岐するものである。分離した単心光ファイバ心線１０４ａ〜ｄを保持したガイド部材２は、その外周部が２分割ケース３ａ，３ｂで覆われて固定されるようになっている。
【００１６】
ガイド部材２は、平板状のガイド板４と、ガイド板４の一端に設けられ、各分岐側ＰＶＣ補強コード１１０ａ〜ｄを固定するための分岐側コード固定部５と、ガイド板３の中央部付近に設けられ、各単心光ファイバ心線１０４ａ〜ｄを整列させるための心線整列部６とからなっている。このガイド部材２は、射出成形可能なプラスチック素材で製作することが望ましいが、金属その他の材料を用いることも可能である。
【００１７】
２分割ケース３ａ，３ｂは、略円筒状のケースを２分割したものである。２分割ケース３ａの２分割ケース３ｂとの重ね合わせ面７には、雄形突起８ａ〜ｄを設けている。一方、２分割ケース３ｂの外周面９には、雄形突起８ａ〜ｄがはめ込まれる穴１０ａ〜ｄを設けている。
【００１８】
ガイド部材２を図２により詳細に説明する。
【００１９】
図２は、ガイド部材２の正面図（ａ）、平面図（ｂ）、背面図（ｃ）、側面図（ｄ）を示したものである。
【００２０】
図２に示すように、分岐側コード固定部５は、例えば、全体を略円盤状に形成しており、その中心軸がガイド板４の一端部中央と一致するようにしている。分岐側コード固定部５の分岐側の円盤５ａの外径は、２分割ケース３ａ，３ｂ内でガイド部材２が軸方向に動かずに固定されるように、テープ側の円盤５ｂの外径よりもやや小さくなるようにしている。テープ側の円盤５ｂの外周には、２分割ケース３ａ，３ｂ内でガイド部材２が周方向に動かずに固定されるように、ガイド板４の表面側（図４（ｄ）では上側）４Ａと裏面側（図４（ｄ）では下側）４Ｂに対して垂直となる突起部１１ａ，１１ｂを設けている。これら突起部１１ａ，１１ｂは、ガイド部材２の外周部を２分割ケース３ａ，３ｂで覆う際の位置決めともなる。
【００２１】
この分岐側コード固定部５には、ガイド板４の長手方向に沿う直線状となるように断面円形状の第１の通路１２ａ〜ｄが形成されている。これら第１の通路１２ａ〜ｄは、分離した各単心光ファイバ心線１０４ａ〜ｄをそれぞれ保護する補強コード１１０ａ〜ｄが分岐側から挿通されるようになっている。
【００２２】
第１の通路１２ａ，１２ｂは、ガイド板４の短手方向に沿って隣り合っており、それぞれの中心軸がガイド板４の表面側４Ａとなるようにしている。一方、第１の通路１２ｃ、１２ｄは、ガイド板４の短手方向に沿って隣り合っており、それぞれの中心軸がガイド板４の裏面側４Ｂとなるようにしている。
【００２３】
心線整列部６は、例えば、全体を略矩形体状に形成しており、その中央部がガイド板４と一致するようにしている。この心線整列部６には、ガイド板４の長手方向に沿う直線状となるように断面円形状の第２の通路１３ａ〜ｄが形成されている。これら第２の通路１３ａ〜ｄは、各補強コード１１０ａ〜ｄ内のナイロンチューブ１１１ａ〜ｄが分岐側から挿通されるようになっている。
【００２４】
第２の通路１３ａ，１３ｂは、ガイド板４の短手方向に沿って隣り合っており、それぞれの中心軸がガイド板の表面側４Ａとなるようにしている。一方、第２の通路１３ｃ、１３ｄは、ガイド板４の短手方向に沿って隣り合っており、それぞれの中心軸がガイド板４の裏面側４Ｂとなるようにしている。
【００２５】
２分割ケース３ａ，３ｂを図３〜図５で詳細に説明する。
【００２６】
図３は一方の２分割ケース３ａ内面の平面図を示し、図４は他方の２分割ケース３ｂ内面の平面図を示したものである。
【００２７】
図３および図４に示すように、２分割ケース３ａ，３ｂの一端には、分岐側コード固定部５の分岐側の円盤５ａとテープ側の円盤５ｂが嵌合するように半円状の凹溝１４ａ，１４ｂをそれぞれ形成している。半円状の凹溝１４ｂの底面中央には、分岐側コード固定部５の突起部１１ａ，１１ｂが嵌合するように溝１５ａ，１５ｂを形成している。
【００２８】
２分割ケース３ａ，３ｂの他端中央には、Ｕ字状溝１６ａ，１６ｂを形成しており、２分割ケース３ａ，３ｂを重ね合せると略楕円状のテープ側コード固定部１７となって断面略楕円状のテープ側のコード１００を固定することができるようになっている。また、２分割ケース３ａ，３ｂの他端には、各Ｕ字状溝１６ａ，１６ｂを挟む位置に半球状の突起部１８ａ，１８ｂ、凹部１９ａ，１９ｂを形成しており、２分割ケース３ａ，３ｂを重ね合わせる際の位置決めとなるようにしている。
【００２９】
２分割ケース３ａ，３ｂを重ね合わせて分岐側から見ると図５（ａ）に示す状態となり、テープ側から見ると図５（ｂ）に示す状態となる。これら２分割ケース３ａ，３ｂにより、分離した単心光ファイバ心線１０４ａ〜ｄを保持したガイド部材２の外周部を覆ってガイド部材２を容易に固定できる。
【００３０】
本発明の光テープファイバ心線分岐部１の組立手順を図６で説明する。
【００３１】
図６に示すように、まず、４心テープファイバコード１００の被覆を一部除去し、各単心光ファイバ心線１０４ａ〜ｄを剥き出しにする。各補強コード１１０ａ〜ｄの被覆も一部除去し、各チューブ１１１ａ〜ｄを剥き出しにする。分岐側コード固定部５に、第１の通路１２ａ〜ｄを挿通するように各補強コード１１０ａ〜ｄを分岐側から差し込む。心線整列部６に、第２の通路１３ａ〜ｄを挿通するように各補強コード１１０ａ〜ｄの端部に剥き出している各チューブ１１１ａ〜ｄを分岐側から差し込むと、各チューブ１１１ａ〜ｄがガイド板４の表側４Ａと裏側４Ｂに２本ずつ整列する。
【００３２】
従来例では、チューブの曲げ癖により各チューブ１１１ａ〜ｄを取りまとめるのが難しかったが、本発明では、チューブに曲げ癖があったとしても、心線整列部６の第２の通路１３ａ〜ｄによって各チューブ１１１ａ〜ｄの曲げ癖が矯正されるので、各チューブ１１１ａ〜ｄがガイド板４の長手方向に沿う直線状となる。これにより、各チューブ１１１ａ〜ｄを容易に整列させることができる。
【００３３】
次に、剥き出している各単心光ファイバ心線１０４ａ〜ｄを、ガイド板４の表側４Ａに２本、裏側４Ｂに２本となるように分離し、ガイド部材２によって既に整列している各チューブ１１１ａ〜ｄ内に、分離した各単心光ファイバ心線１０４ａ〜ｄをテープ側から挿入してガイド部材２で保持する。図では、ガイド板４の表側４Ａで分離した単心光ファイバ心線１０４ａ，１０４ｃをチューブ１１１ａ，１１１ｂ内に挿入し、ガイド板４の裏側４Ｂで分離した単心光ファイバ心線１０４ｂ，１０４ｄをチューブ１１１ｃ，１１１ｄ内に挿入してガイド部材２で保持する例で描いている。
【００３４】
本発明では、従来例と異なり、既に整列している各チューブ１１１ａ〜ｄ内に分離した各単心光ファイバ心線１０４ａ〜ｄを挿入しているので、各単心光ファイバ心線１０４ａ〜ｄを、ねじることなく整列させて分岐することができる。
【００３５】
最後に、分離した単心光ファイバ心線１０４ａ〜ｄを保持したガイド部材２の外周部を、各補強コード１１０ａ〜ｄと４心テープファイバコード１００にまたがって被せられた内面に接着層を有する熱収縮スリーブ（図示せず）で覆った後、更にその外周部を２分割ケース３ａ，３ｂで覆ってガイド部材２を固定すると、図７に示すような光テープファイバ心線分岐部１を組み立てることができる。光テープファイバ心線分岐部１の軸方向の幅Ｌは約４５ｍｍであり、外径φは約８ｍｍである。
【００３６】
このように、本発明の光テープファイバ心線分岐部１は、分岐側コード固定部５と心線整列部６を備えたガイド部材２を設け、このガイド部材２の外周部を、テープ側コード固定部１４を備えた２分割ケース３ａ，３ｂで覆った点に特徴がある。本発明は、従来例のように複雑な組立手順を必要とせず、部品個数もガイド部材２、２分割ケース３ａ，３ｂの３個のみであるので、組立性を向上させることができ、安価である。
【００３７】
なお、本実施の形態では、光テープファイバとして４心テープファイバコードの例で説明したが、本発明は、２心あるいは８心の光テープファイバにも適用することができる。
【００３８】
【発明の効果】
以上説明したことから明らかなように、本発明によれば次のごとき優れた効果を発揮する。
【００３９】
（１）分離した単心光ファイバ心線を、ねじることなく整列させて分岐することができる。
【００４０】
（２）組立性が向上する。
【００４１】
（３）安価である。
【図面の簡単な説明】
【図１】本発明の好適実施の形態を示す組立分解図である。
【図２】ガイド部材の正面図（ａ）、平面図（ｂ）、背面図（ｃ）、側面図（ｄ）である。
【図３】一方の２分割ケース内面の平面図である。
【図４】他方の２分割ケース内面の平面図である。
【図５】２分割ケースを重ね合わせた状態の正面図（ａ）、背面図（ｂ）である。
【図６】図１に示した光テープファイバ心線分岐部の内部組立構造の概略図である。
【図７】図１に示した光テープファイバ心線分岐部の外観図である。
【図８】従来の光テープファイバ心線分岐部の内部構造の概略図である。
【図９】従来の光テープファイバ心線分岐部の外観図である。
【図１０】光テープファイバ心線の一例を示す断面図である。
【図１１】補強コードの一例を示す断面図である。
【符号の説明】
１  光テープファイバ心線分岐部
２  ガイド部材
３ａ，３ｂ  ２分割ケース
１００  ４心テープファイバコード（光ファイバテープ）
１０４ａ〜ｄ  単心光ファイバ心線
１１０ａ〜ｄ  分岐側ＰＶＣ補強コード
【図１】
0003899823.tif 000002
【図２】
0003899823.tif 000003
【図３】
0003899823.tif 000004
【図４】
0003899823.tif 000005
【図５】
0003899823.tif 000006
【図６】
0003899823.tif 000007
【図７】
0003899823.tif 000008
【図８】
0003899823.tif 000009
【図９】
0003899823.tif 000010
【図１０】
0003899823.tif 000011
【図１１】
0003899823.tif 000012